(57)【特許請求の範囲】
【請求項１】
複数台の表示装置と、
前記複数台の表示装置にネットワークを介して接続された外部端末と、
を具備し、
前記外部端末は、
表示部と、
前記複数台の表示装置が一列に並んで配置される複数画像表示モードにおいて、複数ページの画像データのうちの、前記複数台の表示装置に対応する表示装置の台数分のページの画像データを前記表示部に表示すると共に、前記台数分のページの画像データをそれぞれ前記複数台の表示装置に表示させる複数画像表示制御部と、
前記複数画像表示モードにおいて、前記複数ページの画像データのうちの、前記台数分のページの画像データの次の台数分のページの画像データを選択する複数画像ページ操作が行なわれた場合、前記次の台数分のページの画像データを前記表示部に表示すると共に、前記次の台数分のページの画像データをそれぞれ前記複数台の表示装置に表示させる複数画像操作制御部と、
前記複数台の表示装置の各々が離れて配置される単一画像表示モードにおいて、前記複数ページの画像データのうちの１ページ分の画像データを前記表示部に表示すると共に、前記１ページ分の画像データを前記複数台の表示装置に表示させる単一画像表示制御部と、
前記単一画像表示モードにおいて、前記複数ページの画像データのうちの他の１ページ分の画像データを選択する単一画像ページ操作が行なわれた場合、前記他の１ページ分の画像データを前記表示部に表示すると共に、前記他の１ページ分の画像データを前記複数台の表示装置に表示させる単一画像操作制御部と、
を具備することを特徴とする表示システム。
【請求項２】
前記表示部は、
前記複数台の表示装置の配置に対応させて操作者が表示モードを前記複数画像表示モードと前記単一画像表示モードとの一方に切り替えるためのモード表示欄、
を備えていることを特徴とする請求項１に記載の表示システム。
【請求項３】
前記複数画像操作制御部は、
前記複数画像表示モードにおいて、前記表示部に表示された前記台数分のページの画像データのうちの、前記複数台の表示装置に対応する表示装置の台数よりも少ない数の画像データが指定画像データとして指定された場合、前記複数台の表示装置のうちの、前記指定画像データを表示している表示装置を指定表示装置として指定し、
前記指定画像データと前記指定表示装置とが指定された後に、前記複数画像ページ操作が行なわれた場合、前記次の台数分のページの画像データのうちの、最終ページ目の画像データから、前記指定画像データの数に対応する画像データを除いた画像データである再編成画像データを生成し、前記指定画像データと前記再編成画像データとを前記表示部に表示すると共に、前記指定画像データを前記複数台の表示装置のうちの前記指定表示装置に表示させて、前記再編成画像データを前記複数台の表示装置のうちの前記指定表示装置以外の表示装置に表示させることを特徴とする請求項１または２に記載の表示システム。
【請求項４】
前記単一画像操作制御部は、
前記単一画像表示モードにおいて、前記表示部上で、前記複数台の表示装置のうちの、前記複数台の表示装置に対応する表示装置の台数よりも少ない数の表示装置が指定表示装置として指定された場合、前記指定表示装置に表示された前記１ページ分の画像データを指定画像データとして指定し、
前記指定表示装置と前記指定画像データとが指定された後に、前記単一画像ページ操作が行なわれた場合、前記指定画像データと前記他の１ページ分の画像データとを前記表示部に表示すると共に、前記指定画像データを前記複数台の表示装置のうちの前記指定表示装置に表示させて、前記他の１ページ分の画像データを前記複数台の表示装置のうちの前記指定表示装置以外の表示装置に表示させることを特徴とする請求項１から３のいずれか一項に記載の表示システム。
【請求項５】
前記表示部は、
前記複数画像表示モード、または、前記単一画像表示モードにおいて、前記複数台の表示装置に表示される画像データと同じ画像データを表示するための画像表示欄と、
前記複数ページの画像データが表示され、前記複数画像表示モードにおける前記複数画像ページ操作、または、前記単一画像表示モードにおける前記単一画像ページ操作が行なわれるページ表示欄と、
を備えていることを特徴とする請求項１から４のいずれか一項に記載の表示システム。
【請求項６】
前記表示部の前記ページ表示欄は、前記複数ページの画像データを、前記複数台の表示装置が配置されている方向である配置方向に対応して表示し、
前記複数画像ページ操作は、前記ページ表示欄に表示された前記複数ページの画像データのうちの１つの画像データをタッチして、前記配置方向にスライドする操作、または、前記ページ表示欄に表示された前記複数ページの画像データのうちの１つの画像データを前記配置方向にフリックする操作であり、
前記単一画像ページ操作は、前記ページ表示欄に表示された前記複数ページの画像データのうちの１つの画像データをタッチする操作であることを特徴とする請求項５に記載の表示システム。
【請求項７】
前記表示部の前記画像表示欄は、前記複数台の表示装置のそれぞれを識別するための複数の表示装置識別情報と、前記複数台の表示装置に表示される画像データと同じ画像データと、を対応付けて表示し、
前記外部端末は、
前記ページ表示欄に表示された前記複数の表示装置識別情報のうちの２つの表示装置識別情報を第１、第２の表示装置識別情報として指定する画像切替操作が行なわれた場合、前記ページ表示欄に表示された画像データのうちの、前記第１の表示装置識別情報に対応付けられて表示されている画像データである第１の画像データを前記第２の表示装置識別情報に対応付けて前記ページ表示欄に表示し、前記第２の表示装置識別情報に対応付けられて表示されている画像データである第２の画像データを前記第１の表示装置識別情報に対応付けて前記ページ表示欄に表示する画像切替表示制御部、
を更に具備し、
前記画像切替表示制御部は、前記画像切替操作が行なわれた場合、前記複数台の表示装置に表示されている画像データのうちの、第１の表示装置に表示されている前記第１の画像データを第２の表示装置に表示させ、前記第２の表示装置に表示されている前記第２の画像データを前記第１の表示装置に表示させることを特徴とする請求項５または６に記載の表示システム。
【請求項８】
前記画像切替操作は、前記画像表示欄に表示されている前記第１の表示装置識別情報または前記第１の画像データをタッチして、前記画像表示欄に表示されている前記第２の表示装置識別情報または前記第２の画像データまでスライドする操作であることを特徴とする請求項７に記載の表示システム。
【請求項９】
複数台の表示装置にネットワークを介して接続された外部端末であって、
表示部と、
前記複数台の表示装置が一列に並んで配置される複数画像表示モードにおいて、複数ページの画像データのうちの、前記複数台の表示装置に対応する表示装置の台数分のページの画像データを前記表示部に表示すると共に、前記台数分のページの画像データをそれぞれ前記複数台の表示装置に表示させる複数画像表示制御部と、
前記複数画像表示モードにおいて、前記複数ページの画像データのうちの、前記台数分のページの画像データの次の台数分のページの画像データを選択する複数画像ページ操作が行なわれた場合、前記次の台数分のページの画像データを前記表示部に表示すると共に、前記次の台数分のページの画像データをそれぞれ前記複数台の表示装置に表示させる複数画像操作制御部と、
前記複数台の表示装置の各々が離れて配置される単一画像表示モードにおいて、前記複数ページの画像データのうちの１ページ分の画像データを前記表示部に表示すると共に、前記１ページ分の画像データを前記複数台の表示装置に表示させる単一画像表示制御部と、
前記単一画像表示モードにおいて、前記複数ページの画像データのうちの他の１ページ分の画像データを選択する単一画像ページ操作が行なわれた場合、前記他の１ページ分の画像データを前記表示部に表示すると共に、前記他の１ページ分の画像データを前記複数台の表示装置に表示させる単一画像操作制御部と、
を具備することを特徴とする外部端末。
【請求項１０】
複数台の表示装置にネットワークを介して接続された外部端末を用いた表示方法であって、
前記複数台の表示装置が一列に並んで配置される複数画像表示モードにおいて、複数ページの画像データのうちの、前記複数台の表示装置に対応する表示装置の台数分のページの画像データを自身の表示部に表示すると共に、前記複数ページの画像データのうちの、前記台数分のページの画像データをそれぞれ前記複数台の表示装置に表示させるステップと、
前記複数画像表示モードにおいて、前記複数ページの画像データのうちの、前記台数分のページの画像データの次の台数分のページの画像データを選択する複数画像ページ操作が行なわれた場合、前記次の台数分のページの画像データを前記表示部に表示すると共に、前記次の台数分のページの画像データを前記複数台の表示装置に表示させるステップと、
前記複数台の表示装置の各々が離れて配置される単一画像表示モードにおいて、前記複数ページの画像データのうちの１ページ分の画像データを前記表示部に表示すると共に、前記１ページ分の画像データを前記複数台の表示装置に表示させるステップと、
前記単一画像表示モードにおいて、前記複数ページの画像データのうちの他の１ページ分の画像データを選択する単一画像ページ操作が行なわれた場合、前記他の１ページ分の画像データを前記表示部に表示すると共に、前記他の１ページ分の画像データを前記複数台の表示装置に表示させるステップと、
を具備することを特徴とする表示方法。
【発明の詳細な説明】
【技術分野】
【０００１】
本発明は、複数台の表示装置に画像データを表示する表示システム、及び、表示方法に関する。
【背景技術】
【０００２】
教材として複数ページの画像データを用いて教室内で授業が行なわれる場合、操作者（例えば、先生）は、複数ページの画像データの各々を１台の表示装置に表示させて、視聴者（例えば、生徒）に対して説明を行なう。例えば、操作者は、１ページ目の画像データを１台の表示装置に表示させて、１ページ目の画像データに対する説明を行なう。その後に、操作者は、２ページ目の画像データを１台の表示装置に表示させて、２ページ目の画像データに対する説明を行なう。これにより、視聴者は、１ページ目の画像データを見ながら、１ページ目の画像データに対する説明を聴くことができ、２ページ目の画像データを見ながら、２ページ目の画像データに対する説明を聴くことができる。
【０００３】
しかしながら、１台の表示装置に表示される画像データは１ページずつ切り替えられるため、視聴者は、複数ページの画像データを一度に見ることができない。すなわち、操作者は、２ページ目の画像データを１台の表示装置に表示させるときに、１台の表示装置に表示される画像データを、１ページ目の画像データから、２ページ目の画像データに切り替えるため、視聴者は、１ページ目の画像データと２ページ目の画像データとを一度に見ることができない。また、操作者が、２ページ目の画像データを１台の表示装置に表示させて、２ページ目の画像データに対する説明を行なっているときに、視聴者のうちの数名は、２ページ目の画像データに対する説明の確認のために、１ページ目の画像データの画面を再度見たい場合がある。このように、視聴者が数ページの画像データを一度に閲覧できることが望まれる。
【０００４】
一方、１台の表示装置の大きさに対して教室が広すぎる場合、教室内において１台の表示装置から遠い位置にいる視聴者にとっては、１台の表示装置に表示される画像データを見ることが困難である。すなわち、表示装置が教室の第１の壁の近くに配置され、教室内の机及び椅子が、表示装置と、教室の第１の壁に対向する第２の壁との間に、最前列から最後列まで配置され、１列あたり数名の視聴者に使用されることが一般的である。このため、教室内において、最前列の視聴者よりも、最後列の視聴者のほうが、１台の表示装置に表示される画像データを見ることが困難になる。これは、最後列の方の視聴者から見て、前方の視聴者の頭などで視界が遮られることや、１台の表示装置に表示される画像データの文字が小さく見えること等が要因となる。このように、大勢の視聴者が画像データを閲覧できることが望まれる。
【０００５】
また、視聴者が数ページの画像データを一度に閲覧するような利用形態、または、大勢の視聴者が画像データを閲覧するような利用形態において、操作者が、複数ページの画像データのうちの、所望の画像データを表示装置に表示させたい場合もある。この場合、操作者は、表示装置に対して１ページずつページ操作を行なう必要がある。そのような利用形態に応じて、操作者がページ操作を容易に行なうことができることが望まれる。
【０００６】
ここで、複数台の表示装置に画像データを表示する技術として、画面キャプチャを用いて、１台目の表示装置に表示された画像データと同じ画像データを２台目の表示装置に表示する技術が、特許文献１、２に開示されている。
【０００７】
また、リモートコントローラを用いて各画面に対する操作を行なう技術が、特許文献３に開示されている。
【先行技術文献】
【特許文献】
【０００８】
【特許文献１】特開２００３−６９７６７号公報
【特許文献２】特開２０１４−２２８６１号公報
【特許文献３】特開２０１０−１６７３４号公報
【発明の概要】
【発明が解決しようとする課題】
【０００９】
しかしながら、特許文献１、２に記載された技術では、画面キャプチャを用いて、１台目の表示装置に表示された画像データと同じ画像データを２台目の表示装置に表示するものであるため、視聴者が数ページの画像データを一度に閲覧することはできない。
【００１０】
また、特許文献３に記載された技術では、リモートコントローラを用いて各画面に対する操作を行なうものであり、ページ操作を行なうものではない。
【００１１】
本発明は、上記従来の問題点に鑑みてなされたものであって、視聴者が数ページの画像データを一度に閲覧することができ、または、大勢の視聴者が画像データを閲覧することができ、そのような利用形態において、操作者がページ操作を容易に行なうことができる表示システム、及び、表示方法を提供することを目的とする。
【課題を解決するための手段】
【００１２】
本発明の表示システムは、複数台の表示装置と、前記複数台の表示装置にネットワークを介して接続された外部端末と、を具備し、前記外部端末は、表示部と、前記複数台の表示装置が一列に並んで配置される複数画像表示モードにおいて、複数ページの画像データのうちの、前記複数台の表示装置に対応する表示装置の台数分のページの画像データを前記表示部に表示すると共に、前記台数分のページの画像データをそれぞれ前記複数台の表示装置に表示させる複数画像表示制御部と、前記複数画像表示モードにおいて、前記複数ページの画像データのうちの、前記台数分のページの画像データの次の台数分のページの画像データを選択する複数画像ページ操作が行なわれた場合、前記次の台数分のページの画像データを前記表示部に表示すると共に、前記次の台数分のページの画像データをそれぞれ前記複数台の表示装置に表示させる複数画像操作制御部と、前記複数台の表示装置の各々が離れて配置される単一画像表示モードにおいて、前記複数ページの画像データのうちの１ページ分の画像データを前記表示部に表示すると共に、前記１ページ分の画像データを前記複数台の表示装置に表示させる単一画像表示制御部と、前記単一画像表示モードにおいて、前記複数ページの画像データのうちの他の１ページ分の画像データを選択する単一画像ページ操作が行なわれた場合、前記他の１ページ分の画像データを前記表示部に表示すると共に、前記他の１ページ分の画像データを前記複数台の表示装置に表示させる単一画像操作制御部と、を具備することを特徴とする。
【００１３】
本発明の外部端末は、複数台の表示装置にネットワークを介して接続された外部端末であって、表示部と、前記複数台の表示装置が一列に並んで配置される複数画像表示モードにおいて、複数ページの画像データのうちの、前記複数台の表示装置に対応する表示装置の台数分のページの画像データを前記表示部に表示すると共に、前記台数分のページの画像データをそれぞれ前記複数台の表示装置に表示させる複数画像表示制御部と、前記複数画像表示モードにおいて、前記複数ページの画像データのうちの、前記台数分のページの画像データの次の台数分のページの画像データを選択する複数画像ページ操作が行なわれた場合、前記次の台数分のページの画像データを前記表示部に表示すると共に、前記次の台数分のページの画像データをそれぞれ前記複数台の表示装置に表示させる複数画像操作制御部と、前記複数台の表示装置の各々が離れて配置される単一画像表示モードにおいて、前記複数ページの画像データのうちの１ページ分の画像データを前記表示部に表示すると共に、前記１ページ分の画像データを前記複数台の表示装置に表示させる単一画像表示制御部と、前記単一画像表示モードにおいて、前記複数ページの画像データのうちの他の１ページ分の画像データを選択する単一画像ページ操作が行なわれた場合、前記他の１ページ分の画像データを前記表示部に表示すると共に、前記他の１ページ分の画像データを前記複数台の表示装置に表示させる単一画像操作制御部と、を具備することを特徴とする。
【００１４】
本発明の表示方法は、複数台の表示装置にネットワークを介して接続された外部端末を用いた表示方法であって、前記複数台の表示装置が一列に並んで配置される複数画像表示モードにおいて、複数ページの画像データのうちの、前記複数台の表示装置に対応する表示装置の台数分のページの画像データを自身の表示部に表示すると共に、前記複数ページの画像データのうちの、前記台数分のページの画像データをそれぞれ前記複数台の表示装置に表示させるステップと、前記複数画像表示モードにおいて、前記複数ページの画像データのうちの、前記台数分のページの画像データの次の台数分のページの画像データを選択する複数画像ページ操作が行なわれた場合、前記次の台数分のページの画像データを前記表示部に表示すると共に、前記次の台数分のページの画像データを前記複数台の表示装置に表示させるステップと、前記複数台の表示装置の各々が離れて配置される単一画像表示モードにおいて、前記複数ページの画像データのうちの１ページ分の画像データを前記表示部に表示すると共に、前記１ページ分の画像データを前記複数台の表示装置に表示させるステップと、前記単一画像表示モードにおいて、前記複数ページの画像データのうちの他の１ページ分の画像データを選択する単一画像ページ操作が行なわれた場合、前記他の１ページ分の画像データを前記表示部に表示すると共に、前記他の１ページ分の画像データを前記複数台の表示装置に表示させるステップと、を具備することを特徴とする。
【発明の効果】
【００１５】
本発明によれば、視聴者が数ページの画像データを一度に閲覧することができ、または、大勢の視聴者が画像データを閲覧することができ、そのような利用形態において、操作者がページ操作を容易に行なうことができる。
【図面の簡単な説明】
【００１６】
【図１】本発明の第１実施形態に係る表示システムの構成を示すブロック図である。
【図２】本発明の第１実施形態に係る表示システムの動作（表示処理）として、制御装置３０の動作を示すフローチャートである。
【図３】本発明の第１実施形態に係る表示システムの動作において、複数画像表示モードにより、外部端末１００の表示部１５０、及び、複数台の表示装置１０−１〜１０−４に表示される画像データを示す図である。
【図４】本発明の第１実施形態に係る表示システムの動作において、複数画像表示モードにより、外部端末１００の表示部１５０、及び、複数台の表示装置１０−１〜１０−４に表示される画像データを示す図である。
【図５】本発明の第１実施形態に係る表示システムの動作において、複数画像表示モードにより、外部端末１００の表示部１５０、及び、複数台の表示装置１０−１〜１０−４に表示される画像データを示す図である。
【図６】本発明の第１実施形態に係る表示システムの動作において、複数画像表示モードにより、外部端末１００の表示部１５０、及び、複数台の表示装置１０−１〜１０−４に表示される画像データを示す図である。
【図７】本発明の第１実施形態に係る表示システムにおいて、外部端末１００の構成を示すブロック図である。
【図８】本発明の第１実施形態に係る表示システムの構成において、複数画像表示モードによる複数台の表示装置１０−１〜１０−４の配置を示す図である。
【図９】本発明の第１実施形態に係る表示システムの構成において、単一画像表示モードによる複数台の表示装置１０−１〜１０−４の配置を示す図である。
【図１０】本発明の第１実施形態に係る表示システムの動作（表示処理）として、外部端末１００、及び、制御装置３０の動作を示すフローチャートである。
【図１１】本発明の第１実施形態に係る表示システムの動作（表示処理）として、外部端末１００による複数画像ページ操作検知処理を示すフローチャートである。
【図１２】本発明の第１実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【図１３】本発明の第１実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【図１４】本発明の第１実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【図１５】本発明の第１実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【図１６】本発明の第１実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【図１７】本発明の第１実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【図１８】本発明の第１実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【図１９】本発明の第２実施形態に係る表示システムにおいて、外部端末１００の構成を示すブロック図である。
【図２０】本発明の第２実施形態に係る表示システムの動作（表示処理）として、外部端末１００、及び、制御装置３０の動作を示すフローチャートである。
【図２１】本発明の第２実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【図２２】本発明の第２実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【図２３】本発明の第２実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【図２４】本発明の第２実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【図２５】本発明の第２実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【図２６】本発明の第２実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【図２７】本発明の第３実施形態に係る表示システムにおいて、外部端末１００の構成を示すブロック図である。
【図２８】本発明の第３実施形態に係る表示システムの動作（表示処理）として、外部端末１００、及び、制御装置３０の動作を示すフローチャートである。
【図２９】本発明の第３実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【図３０】本発明の第３実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【図３１】本発明の第３実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【図３２】本発明の第３実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【図３３】本発明の第３実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【図３４】本発明の第３実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【図３５】本発明の第４実施形態に係る表示システムの構成において、グループ毎の複数画像表示モードによる複数台の表示装置１０−１〜１０−４の配置を示す図である。
【図３６】本発明の第４実施形態に係る表示システムの動作（表示処理）として、外部端末１００、及び、制御装置３０の動作を示すフローチャートである。
【図３７】本発明の第４実施形態に係る表示システムの動作（表示処理）のページ操作処理において、グループ毎の複数画像表示モードにより、外部端末１００の表示部１５０、及び、複数台の表示装置１０−１〜１０−４に表示される画像データを示す図である。
【図３８】本発明の第４実施形態に係る表示システムの動作（表示処理）のページ操作処理において、グループ毎の複数画像表示モードにより、外部端末１００の表示部１５０、及び、複数台の表示装置１０−１〜１０−４に表示される画像データを示す図である。
【発明を実施するための形態】
【００１７】
以下、図面を参照しながら本発明の実施形態について説明する。
【００１８】
［１．  第１実施形態］
図１は、本発明の第１実施形態に係る表示システムの構成を示すブロック図である。図１に示されるように、本発明の第１実施形態に係る表示システムは、複数台の表示装置１０と、入力検知装置２０と、制御装置３０と、外部端末１００と、を具備している。
【００１９】
複数台の表示装置１０は、図示しないＬＣＤ（Ｌｉｑｕｉｄ  Ｃｒｙｓｔａｌ  Ｄｉｓｐｌａｙ）である。本実施形態では、複数台の表示装置１０は、例えば、１〜４台目の表示装置１０−１〜１０−４であるものとする。
【００２０】
また、本実施形態では、例えば、複数台の表示装置１０−１〜１０−４のうちの最終台目の表示装置１０−４は、マスター表示装置とし、それ以外の表示装置１０−１〜１０−３をスレーブ表示装置としている。マスター表示装置１０−４は、例えば、ユーザ（操作者）により指定されている。または、予め指定されている。
【００２１】
入力検知装置２０は、タッチパネルであり、マスター表示装置１０−４に設けられている。すなわち、マスター表示装置１０−４は、自身のＬＣＤと入力検知装置２０（タッチパネル）とにより、タッチパネルディスプレイとして使用される。この入力検知装置２０は、操作者１００１がマスター表示装置１０−４に対して指先またはペン先により文字等を入力したとき、マスター表示装置１０−４に対する操作者１００１の入力を検知する。
【００２２】
入力検知装置２０としては、静電容量センサや、光センサが例示される。静電容量センサは、例えば、マスター表示装置１０−４のＬＣＤにマトリクス状に配置され、そのＬＣＤに所定距離以下に近接した指示媒体（ペン先または操作者１００１の指先）を検出する。光センサは、マスター表示装置１０−４のＬＣＤの各画素に内蔵されることによりマトリクス状に配置され、そのＬＣＤに接触する指示媒体（ペン先または操作者１００１の指先）を検出する。
【００２３】
制御装置３０は、複数台の表示装置１０−１〜１０−４（スレーブ表示装置１０−１〜１０−３、マスター表示装置１０−４）と、入力検知装置２０とに接続されている。この制御装置３０は、記憶部３１と、制御部３２とを具備している。制御部３１は、ＣＰＵ（Central Processing Unit）であり、入力検知装置２０、複数台の表示装置１０−１〜１０−４を制御する。記憶部３２にはコンピュータプログラムが格納され、制御部３１は、そのコンピュータプログラムを実行する。
【００２４】
制御部３１は、画像データ表示制御部３３と、入力反映表示制御部３４とを備えている。画像データ表示制御部３３は、画像データを複数台の表示装置１０−１〜１０−４に表示する。入力反映表示制御部３４は、マスター表示装置１０−４に表示された画像データに対して、操作者により入力された情報を表す入力情報を反映させる。
【００２５】
外部端末１００は、ネットワークＮＥを介して、制御装置３０に接続されている。外部端末１００としては、薄型軽量のコンピュータ、いわゆる、タブレット端末が例示される。外部端末１００の構成、動作については後述する。
【００２６】
次に、本発明の第１実施形態に係る表示システムの動作（表示処理）として、図１の制御装置３０の動作について、図２〜６を用いて説明する。図２は、本発明の第１実施形態に係る表示システムの動作（表示処理）として、制御装置３０の動作を示すフローチャートである。図３〜６は、制御装置３０の動作において、図１の複数台の表示装置１０−１〜１０−４に表示される画像データを示す図である。
【００２７】
ここで、図３〜６に示されるように、複数台の表示装置１０−１〜１０−４（スレーブ表示装置１０−１〜１０−３、マスター表示装置１０−４）は、左右方向に一列に並んで配置されているものとする。
【００２８】
例えば、操作者は、視聴者に対して授業で使うための教材として、複数ページの画像データを用いる。複数ページの画像データは、記憶部３１（図１）に格納されている。または、複数ページの画像データは、制御装置３０（図１）に入力され、制御部３２（図１）は、その複数ページの画像データを記憶部３１（図１）に格納する。
【００２９】
図３〜６に示されるように、複数ページの画像データは、アルファベット表記による文書「Ａ」、「Ｂ」、「Ｃ」、「Ｄ」、…を表している。
【００３０】
まず、操作者は、制御装置３０（図１）に対して、記憶部３１（図１）に格納された複数ページの画像データのうちの１ページ目の画像データ「Ａ」（図３）を表示するための表示指示を行なう。このとき、図３に示されるように、画像データ表示制御部３３（図１）は、複数ページの画像データのうちの、１ページ目の画像データ「Ａ」をマスター表示装置１０−４に表示する（図２のステップＳ１１；画像データ表示処理）。
【００３１】
操作者が、マスター表示装置１０−４（図３）に対して、一定時間以上、入力しない場合（図２のステップＳ１２−Ｎｏ）、本発明の第１実施形態に係る表示システムの動作（表示処理）は、ページ操作処理（図２のステップ１４）に移行する。
【００３２】
一方、操作者は、マスター表示装置１０−４（図４）に対して、一定時間以内に、指先またはペン先により文字等を入力する（図２のステップＳ１２−Ｙｅｓ）。このとき、入力検知装置２０（図１）は、マスター表示装置１０−４（図４）に対する操作者の入力を検知し、入力情報１１（図４）を生成する。入力情報１１は、操作者により入力された情報として、マスター表示装置１０−４に表示された画像データ（この場合、１ページ目の画像データ「Ａ」）に対する説明文「○○」を表している。図４に示されるように、入力反映表示制御部３４は、１ページ目の画像データ「Ａ」に対して、入力情報１１「○○」を反映させる（図２のステップＳ１３；入力反映表示処理）。制御装置３０の動作は、ページ操作処理（図２のステップ１４）に移行する。
【００３３】
ページ操作処理（図２のステップ１４）において、操作者が、一定時間以上、外部端末１００（図１）によりページ操作を行なわない場合、制御装置３０（図１）の動作は、ステップ１５に移行する。ここで、画像データの表示を終了する場合は（図２のステップＳ１５−Ｙｅｓ）、制御装置３０の動作は終了する。画像データの表示を終了しない場合は（図２のステップＳ１５−Ｎｏ）、上述のステップＳ１２〜Ｓ１４が行なわれる。
【００３４】
一方、ページ操作処理（図２のステップ１４）において、操作者は、外部端末１００（図１）により、ページ操作として、例えば、１ページだけページ送りを行なう。このとき、外部端末１００は、ページ操作として、ページ操作情報を制御装置３０（図１）に送信する。このページ操作情報は、１回分のページ送りを表している。
【００３５】
図５に示されるように、画像データ表示制御部３３（図１）は、外部端末１００（図１）からのページ操作情報に応じて、複数ページの画像データのうちの、２ページ目の画像データ「Ｂ」をマスター表示装置１０−４に表示する。また、画像データ表示制御部３３は、ページ操作情報に応じて、複数ページの画像データのうちの、入力情報１１「○○」が反映された１ページ目の画像データ「Ａ」（以下、単に、１ページ目の画像データ「Ａ」と称する）をスレーブ表示装置１０−３に表示する。すなわち、画像データ表示制御部３３は、ページ操作情報に応じて、複数ページの画像データのうちの、１ページ目の画像データ「Ａ」、２ページ目の画像データ「Ｂ」を、それぞれ、スレーブ表示装置１０−３、マスター表示装置１０−４に表示する。制御装置３０（図１）の動作はステップ１５に移行する。
【００３６】
その後、画像データの表示を終了しない場合（図２のステップＳ１５−Ｎｏ）、再度、上述のステップＳ１２〜Ｓ１４が行なわれる。
【００３７】
ページ操作処理（図２のステップ１４）において、図６に示されるように、外部端末１００（図１）からのページ操作情報に応じて、複数ページの画像データのうちの、４ページ目の画像データ「Ｄ」がマスター表示装置１０−４に表示され、１〜３ページ目の画像データ「Ａ」〜「Ｃ」がそれぞれスレーブ表示装置１０−１〜１０−３に表示される。
【００３８】
図７は、本発明の第１実施形態に係る表示システムにおいて、外部端末１００の構成を示すブロック図である。
【００３９】
図７に示されるように、外部端末１００は、記憶部１１０と、制御部１２０と、表示部１５０とを具備している。制御部１２０は、ＣＰＵであり、表示部１５０などを制御する。記憶部１１０にはコンピュータプログラムが格納され、制御部１２０は、そのコンピュータプログラムを実行する。また、表示部１５０はタッチパネルであり、操作者が表示部１５０を操作した場合、制御部１２０は、表示部１５０の操作に応じてコンピュータプログラムを実行する。
【００４０】
制御部１２０は、画像データ表示制御部１３０と、ページ操作制御部１４０とを備えている。画像データ表示制御部１３０は、複数画像表示制御部１３１と、単一画像表示制御部１３２と、モード切替表示制御部１３３とを備えている。ページ操作制御部１４０は、複数画像操作制御部１４１と、単一画像操作制御部１４２とを備えている。
【００４１】
モード切替表示制御部１３３は、現在実行されている表示モードが、複数画像表示モードであるのか、単一画像表示モードであるのか、を表示部１５０に表示する。複数画像表示モード（図８を参照）は、複数台の表示装置１０−１〜１０−４が一列に並んで配置される表示モードである。単一画像表示モード（図９を参照）は、複数台の表示装置１０−１〜１０−４の各々が離れて配置される表示モードである。
【００４２】
複数画像表示制御部１３１は、複数画像表示モード（図８）において、複数ページの画像データのうちの、複数台の表示装置１０−１〜１０−４（図８）に対応する表示装置１０の台数分のページの画像データを表示部１５０に表示すると共に、台数分のページの画像データをそれぞれ複数台の表示装置１０−１〜１０−４（図８）に表示させる。
【００４３】
複数画像操作制御部１４１は、複数画像表示モード（図８）において、複数ページの画像データのうちの、台数分のページの画像データの次の台数分のページの画像データを選択する複数画像ページ操作が行なわれた場合、次の台数分のページの画像データを表示部１５０に表示すると共に、次の台数分のページの画像データをそれぞれ複数台の表示装置１０−１〜１０−４（図８）に表示させる。
【００４４】
単一画像表示制御部１３２は、単一画像表示モードにおいて、複数ページの画像データのうちの１ページ分の画像データを表示部１５０に表示すると共に、１ページ分の画像データを複数台の表示装置１０−１〜１０−４（図９）に表示させる
【００４５】
単一画像操作制御部１４２は、単一画像表示モードにおいて、複数ページの画像データのうちの他の１ページ分の画像データを選択する単一画像ページ操作が行なわれた場合、他の１ページ分の画像データを表示部１５０に表示すると共に、他の１ページ分の画像データを複数台の表示装置１０−１〜１０−４（図９）に表示させる。
【００４６】
図８は、本発明の第１実施形態に係る表示システムの構成において、複数画像表示モードによる複数台の表示装置１０−１〜１０−４の配置を示す図である。
【００４７】
図８に示されるように、複数画像表示モードでは、複数台の表示装置１０−１〜１０−４は、部屋（教室）１０００の第１の壁の近くに、左右方向に一列に並んで配置されている。具体的には、複数台の表示装置１０−１〜１０−４は、この順番で左から右に並べて配置されている。例えば、机１０１０及び椅子（図示しない）は、１台目の表示装置１０−１の両端のうちの、表示装置が設けられていない端部の付近に配置され、操作者（先生）１００１により使用される。机１０２０及び椅子（図示しない）は、複数台の表示装置１０−１〜１０−４と、部屋１０００の第１の壁に対向する第２の壁との間に、最前列から最後列まで配置され、１列あたり数名の視聴者（生徒）１００２により使用される。
【００４８】
図９は、本発明の第１実施形態に係る表示システムの構成において、単一画像表示モードによる複数台の表示装置１０−１〜１０−４の配置を示す図である。
【００４９】
図９に示されるように、単一画像表示モードでは、複数台の表示装置１０−１〜１０−４の各々は離れて配置されている。具体的には、複数台の表示装置１０−１〜１０−４のうちの、３台目の表示装置１０−３と４台目の表示装置１０−４とは、部屋（教室）１０００の壁際に配置され、互いに離れて配置されている。また、複数台の表示装置１０−１〜１０−４のうちの、１台目の表示装置１０−１と２台目の表示装置１０−２とは、部屋１０００の第１の壁と第１の壁に対向する第２の壁との中間付近に配置され、互いに離れて配置されている。例えば、机１０１０及び椅子（図示しない）は、３台目の表示装置１０−３と４台目の表示装置１０−４との間に配置され、操作者（先生）１００１により使用される。机１０２０及び椅子（図示しない）は、３台目の表示装置１０−３及び４台目の表示装置１０−４と、１台目の表示装置１０−１及び２台目の表示装置１０−２との間に、最前列から最後列まで配置され、１列あたり数名の視聴者（生徒）１００２により使用される。また、机１０２０及び椅子（図示しない）は、１台目の表示装置１０−１及び２台目の表示装置１０−２と、部屋１０００の第２の壁との間に、最前列から最後列まで配置され、１列あたり数名の視聴者１００２により使用される。
【００５０】
次に、本発明の第１実施形態に係る表示システムの動作（表示処理）として、外部端末１００、及び、制御装置３０の動作について説明する。
【００５１】
［１．１  複数画像表示モード］
まず、本発明の第１実施形態に係る表示システムの動作（表示処理）のページ操作処理として、複数画像表示モードについて、図８、１０〜１５を用いて説明する。
【００５２】
図１０は、本発明の第１実施形態に係る表示システムの動作（表示処理）として、外部端末１００、及び、制御装置３０の動作を示すフローチャートである。図１１は、本発明の第１実施形態に係る表示システムの動作（表示処理）として、外部端末１００による複数画像ページ操作検知処理を示すフローチャートである。図１２〜１５は、本発明の第１実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【００５３】
外部端末１００において、図１２に示されるように、モード切替表示制御部１３３は、モード表示欄１５１と、画像表示欄１５２と、ページ表示欄１５３と、を表示部１５０に表示する（図１０のステップＳ１０１；モード切替処理）。
【００５４】
図１２に示されるように、モード表示欄１５１は、複数台の表示装置１０−１〜１０−４の配置に対応させて操作者１００１（図８、９）が表示モードを複数画像表示モード（図８）と単一画像表示モード（図９）との一方に切り替えるための表示欄である。モード表示欄１５１は、複数画像表示モード選択ボタン１５１Ａと、単一画像表示モード選択ボタン１５１Ｂとを備えている。複数台の表示装置１０−１〜１０−４が左右方向に一列に並んで配置されている場合、複数画像表示モード（図８）である。この場合、図１２に示されるように、操作者１００１（図８）は、モード表示欄１５１の複数画像表示モード選択ボタン１５１Ａを押下して、複数画像表示モードを選択する。
【００５５】
図１２に示されるように、画像表示欄１５２は、複数画像表示モード（図８）において、複数台の表示装置１０−１〜１０−４に表示される画像データと同じ画像データを表示するための表示欄である。具体的には、画像表示欄１５２には、複数の表示装置識別情報ＩＤ１０−１〜ＩＤ１０−４が表示されている。画像表示欄１５２には、複数の表示装置識別情報ＩＤ１０−１〜ＩＤ１０−４に対応付けて、それぞれ、複数台の表示装置１０−１〜１０−４に表示される画像データと同じ画像データが表示される。
【００５６】
複数画像表示モード（図８）において、画像表示欄１５２に表示されている表示装置識別情報の数は、配置される表示装置１０（図１）の台数に基づいて決定される。すなわち、図１２に示されるように、本実施形態では、画像表示欄１５２に表示されている複数の表示装置識別情報ＩＤ１０−１〜ＩＤ１０−４は、複数台の表示装置１０−１〜１０−４に基づいて決定される。
【００５７】
複数画像表示モード（図８）において、画像表示欄１５２に表示されている表示装置識別情報の並びは、表示装置１０（図１）が配置される順番に基づいて決定される。すなわち、図１２に示されるように、本実施形態では、画像表示欄１５２に表示されている表示装置識別情報ＩＤ１０−１〜ＩＤ１０−４の並びは、複数台の表示装置１０−１〜１０−４が配置される順番に基づいて決定される。
【００５８】
図１２に示されるように、ページ表示欄１５３は、複数画像表示モード（図８）における複数画像ページ操作、または、単一画像表示モード（図９）における単一画像ページ操作を操作者１００１が行なうための表示欄である。ページ表示欄１５３は、複数ページの画像データを、複数台の表示装置１０−１〜１０−４が配置されている方向である配置方向に対応して表示する。
【００５９】
モード切替処理（図１０のステップＳ１０１）において、図１２に示されるように、操作者１００１（図８）は、制御部１２０（図７）に対して、制御装置３０（図１）の記憶部３１（図１）に格納された複数ページの画像データのうちの１〜４ページ目の画像データ「Ａ」〜「Ｄ」を表示するための表示指示を行なう。このとき、ページ表示欄１５３には、複数ページの画像データのうちの、１〜４ページ目の画像データ「Ａ」〜「Ｄ」が表示される。
【００６０】
ここで、図１２に示されるように、操作者１００１（図８）は、表示部１５０のモード表示欄１５１に表示された複数画像表示モード選択ボタン１５１Ａを押下する。この場合、複数画像表示モード（図８）が選択される（図１０のステップＳ１０２−Ｙｅｓ）。
【００６１】
このとき、モード切替表示制御部１３３（図７）は、複数画像表示モード（図８）が選択されていることを提示するために、複数画像表示モード選択ボタン１５１Ａを強調してモード表示欄１５１に表示する。複数画像表示モード選択ボタン１５１Ａの強調表示としては、複数画像表示モード選択ボタン１５１Ａに表示された文字「複数画像表示モード」を単一画像表示モード選択ボタン１５１Ｂに表示された文字「単一画像表示モード」よりも太くする、複数画像表示モード選択ボタン１５１Ａに表示された文字「複数画像表示モード」を単一画像表示モード選択ボタン１５１Ｂに表示された文字「単一画像表示モード」よりも大きくする、複数画像表示モード選択ボタン１５１Ａに表示された文字「複数画像表示モード」をハイライトする、複数画像表示モード選択ボタン１５１Ａの表示枠を二重にする（図１３を参照）、等が挙げられる。
【００６２】
複数画像表示モード（図８）において、複数画像表示制御部１３１（図７）は、複数画像表示処理を実行する（図１０のステップＳ１０３）。
【００６３】
複数画像表示モード（図８）の複数画像表示処理（図１０のステップＳ１０３）において、図１３に示されるように、複数画像表示制御部１３１（図７）は、複数ページの画像データのうちの、複数台の表示装置１０−１〜１０−４に対応する表示装置１０（図１）の台数分のページの画像データ（１〜４ページ目の画像データ「Ａ」、「Ｂ」、「Ｃ」、「Ｄ」）を、それぞれ、表示部１５０の画像表示欄１５２の表示装置識別情報ＩＤ１０−１〜ＩＤ１０−４に対応付けて表示する。このとき、複数画像表示制御部１３１（図７）は、台数分のページの画像データ（１〜４ページ目の画像データ「Ａ」、「Ｂ」、「Ｃ」、「Ｄ」）を表す複数画像表示情報を制御装置３０に送信する。
【００６４】
このとき、前述の画像データ表示処理（図１のステップＳ１１）において、図１３に示されるように、図１の制御装置３０の画像データ表示制御部３３は、複数画像表示情報に応じて、台数分のページの画像データ（１〜４ページ目の画像データ「Ａ」、「Ｂ」、「Ｃ」、「Ｄ」）をそれぞれ複数台の表示装置１０−１〜１０−４に表示する。
【００６５】
次に、複数画像表示モード（図８）の複数画像表示処理（図１０のステップＳ１０３）において、操作者１００１（図８）は、ページ表示欄１５３に対して、複数ページの画像データのうちの、台数分のページの画像データ（１〜４ページ目の画像データ「Ａ」、「Ｂ」、「Ｃ」、「Ｄ」）の次の台数分のページの画像データ（４〜７ページ目の画像データ「Ｄ」、「Ｅ」、「Ｆ」、「Ｇ」）を選択するための複数画像ページ操作（図１４を参照）を行なう。複数画像ページ操作が行なわれた場合、複数画像操作制御部１４１（図７）は、ページ操作情報送信処理を実行する（図１０のステップＳ１０５）。
【００６６】
上述の複数画像ページ操作は、操作者１００１（図８）が、表示部１５０のページ表示欄１５３に表示された複数ページの画像データのうちの１つの画像データ（例えば、４ページ目の画像データ「Ｄ」（図１４））をタッチ（タップ、ダブルタップ）して、その画像データ（４ページ目の画像データ「Ｄ」（図１４））を設定時間以内に配置方向にスライドする操作（いわゆる、ドラッグする操作）である。または、複数画像ページ操作は、操作者１００１（図８）が、表示部１５０のページ表示欄１５３に表示された複数ページの画像データのうちの１つの画像データ（例えば、４ページ目の画像データ「Ｄ」）を配置方向にフリックする操作である。
【００６７】
操作者１００１（図８）が、次の台数分のページの画像データ（４〜７ページ目の画像データ「Ｄ」、「Ｅ」、「Ｆ」、「Ｇ」）を、確実に、外部端末１００の表示部１５０、及び、複数台の表示装置１０−１〜１０−４に表示させたい場合は、前者のページ操作（ドラッグする操作）のほうが好ましい。本実施形態では、上述の複数画像ページ操作は、前者のページ操作（ドラッグする操作）であるものとする。
【００６８】
複数画像表示モード（図８）のページ操作情報送信処理（図１０のステップＳ１０５）において、図１５に示されるように、複数画像操作制御部１４１（図７）は、次の台数分のページの画像データ（４〜７ページ目の画像データ「Ｄ」、「Ｅ」、「Ｆ」、「Ｇ」）を、それぞれ、表示部１５０の画像表示欄１５２の表示装置識別情報ＩＤ１０−１〜ＩＤ１０−４に対応付けて表示する。このとき、複数画像操作制御部１４１（図７）は、次の台数分のページの画像データ（４〜７ページ目の画像データ「Ｄ」、「Ｅ」、「Ｆ」、「Ｇ」）を表す複数画像ページ操作情報を制御装置３０に送信する。
【００６９】
前述のページ操作処理（図２のステップＳ１４）において、図１の制御装置３０の画像データ表示制御部３３は、外部端末１００からページ操作情報を受信していない場合は（図１０のステップＳ１４１−Ｎｏ）、後述のステップＳ１４２をスキップする。
【００７０】
前述のページ操作処理（図２のステップＳ１４）において、図１５に示されるように、図１の制御装置３０の画像データ表示制御部３３は、外部端末１００からページ操作情報として上述の複数画像ページ操作情報を受信した場合（図１０のステップＳ１４１−Ｙｅｓ）、複数画像ページ操作情報に応じて、次の台数分のページの画像データ（４〜７ページ目の画像データ「Ｄ」、「Ｅ」、「Ｆ」、「Ｇ」）をそれぞれ複数台の表示装置１０−１〜１０−４に表示する（図１０のステップＳ１４２）。
【００７１】
ここで、上述の複数画像ページ操作の検知処理（複数画像ページ操作検知処理）について、図１１を用いて説明する。
【００７２】
複数画像操作制御部１４１（図７）は、画像データに対するタッチ操作を検知していない場合は（図１１のステップＳ１０５１−Ｎｏ）、後述のステップＳ１０５２をスキップする。
【００７３】
一方、操作者１００１（図８）が、表示部１５０のページ表示欄１５３に表示された複数ページの画像データのうちの１つの画像データ（４ページ目の画像データ「Ｄ」（図１４））をタッチ（タップ、ダブルタップ）した場合、複数画像操作制御部１４１（図７）は、そのタッチ操作を検知する（図１２のステップＳ１０５１−Ｙｅｓ）。
【００７４】
複数画像操作制御部１４１（図７）は、タッチ操作の次の操作を検知しない場合は（図１１のステップＳ１０５２−Ｎｏ）、後述のステップＳ１０５３をスキップする。
【００７５】
一方、操作者１００１（図８）が、タッチした画像データ（４ページ目の画像データ「Ｄ」（図１４））を設定時間以内に配置方向にスライドした場合、複数画像操作制御部１４１（図７）は、そのスライド操作の移動方向（左か右）を検知する（図１２のステップＳ１０５２−Ｙｅｓ）。
【００７６】
複数画像操作制御部１４１（図７）は、スライド操作が１ページ分の移動ではない場合は（図１１のステップＳ１０５３−Ｎｏ）、後述のステップＳ１０５４をスキップする。
【００７７】
一方、そのスライド操作が１ページ分である場合、複数画像操作制御部１４１（図７）は、画像データ（４ページ目の画像データ「Ｄ」（図１４））を１ページ分スライドさせる（図１１のステップＳ１０５４）。
【００７８】
操作者１００１（図８）がスライド操作を継続していない場合は（図１１のステップＳ１０５５−Ｎｏ）、複数画像操作制御部１４１（図７）は複数画像ページ操作検知処理を終了する。
【００７９】
一方、操作者１００１（図８）がスライド操作を継続している場合は（図１１のステップＳ１０５５−Ｙｅｓ）、複数画像操作制御部１４１（図７）は上述のステップＳ１０５２を実行する。
【００８０】
［１．２  単一画像表示モード］
次に、本発明の第１実施形態に係る表示システムの動作（表示処理）のページ操作処理として、単一画像表示モードについて、図９、１０、１６〜１８を用いて説明する。
【００８１】
図１５は、本発明の第１実施形態に係る表示システムの構成において、単一画像表示モードによる複数台の表示装置１０−１〜１０−４の配置を示す図である。図１６〜１８は、本発明の第１実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【００８２】
外部端末１００において、図１６に示されるように、モード切替表示制御部１３３は、モード表示欄１５１と、画像表示欄１５２と、ページ表示欄１５３と、を表示部１５０に表示するモード切替処理を実行する（図１０のステップＳ１０１）。
【００８３】
図１６に示されるように、モード表示欄１５１は、複数台の表示装置１０−１〜１０−４の配置に対応させて操作者１００１（図８、９）が表示モードを複数画像表示モード（図８）と単一画像表示モード（図９）との一方に切り替えるための表示欄である。モード表示欄１５１は、複数画像表示モード選択ボタン１５１Ａと、単一画像表示モード選択ボタン１５１Ｂとを備えている。複数台の表示装置１０−１〜１０−４の各々が離れて配置されている場合、単一画像表示モード（図９）である。この場合、図１６に示されるように、操作者１００１（図９）は、モード表示欄１５１の単一画像表示モード選択ボタン１５１Ｂを押下して、単一画像表示モード（図９）を選択する。
【００８４】
図１６に示されるように、画像表示欄１５２は、単一画像表示モード（図９）において、複数台の表示装置１０−１〜１０−４に表示される画像データと同じ画像データを表示するための表示欄である。具体的には、画像表示欄１５２には、複数の表示装置識別情報ＩＤ１０−１〜ＩＤ１０−４が表示されている。画像表示欄１５２には、複数の表示装置識別情報ＩＤ１０−１〜ＩＤ１０−４に対応付けて、それぞれ、複数台の表示装置１０−１〜１０−４に表示される画像データと同じ画像データが表示される。
【００８５】
単一画像表示モード（図９）において、画像表示欄１５２に表示されている表示装置識別情報の数は、配置される表示装置（図１）の台数に基づいて決定される。すなわち、図１６に示されるように、本実施形態では、画像表示欄１５２に表示されている複数の表示装置識別情報ＩＤ１０−１〜ＩＤ１０−４は、複数台の表示装置１０−１〜１０−４に基づいて決定される。
【００８６】
モード切替処理（図１０のステップＳ１０１）において、操作者１００１（図９）は、制御部１２０（図７）に対して、制御装置３０（図１）の記憶部３１（図１）に格納された複数ページの画像データのうちの１〜４ページ目の画像データ「Ａ」〜「Ｄ」を表示するための表示指示を行なう。このとき、ページ表示欄１５３には、複数ページの画像データのうちの、１〜４ページ目の画像データ「Ａ」〜「Ｄ」が表示される。
【００８７】
ここで、図１６に示されるように、操作者１００１（図９）は、表示部１５０のモード表示欄１５１に表示された単一画像表示モード選択ボタン１５１Ｂを押下する。この場合、単一画像表示モード（図９）が選択される（図１０のステップＳ１０２−Ｎｏ）。
【００８８】
このとき、モード切替表示制御部１３３（図７）は、単一画像表示モード（図９）が選択されていることを提示するために、単一画像表示モード選択ボタン１５１Ｂを強調してモード表示欄１５１に表示する。単一画像表示モード選択ボタン１５１Ｂの強調表示としては、単一画像表示モード選択ボタン１５１Ｂに表示された文字「単一画像表示モード」を複数画像表示モード選択ボタン１５１Ａに表示された文字「複数画像表示モード」よりも太くする、単一画像表示モード選択ボタン１５１Ｂに表示された文字「単一画像表示モード」を複数画像表示モード選択ボタン１５１Ａに表示された文字「複数画像表示モード」よりも大きくする、単一画像表示モード選択ボタン１５１Ｂに表示された文字「単一画像表示モード」をハイライトする、単一画像表示モード選択ボタン１５１Ｂの表示枠を二重にする（図１７を参照）、等が挙げられる。
【００８９】
単一画像表示モード（図９）において、単一画像表示制御部１３２（図７）は、単一画像表示処理を実行する（図１０のステップＳ１０４）。
【００９０】
単一画像表示モード（図９）の単一画像表示処理（図１０のステップＳ１０４）において、図１６に示されるように、単一画像表示制御部１３２（図７）は、複数ページの画像データのうちの１ページ分の画像データ（１ページ目の画像データ「Ａ」）を、表示部１５０の画像表示欄１５２の表示装置識別情報ＩＤ１０−１〜ＩＤ１０−４に対応付けて表示する。このとき、単一画像表示制御部１３２は、１ページ分の画像データ（１ページ目の画像データ「Ａ」）を表す単一画像表示情報を制御装置３０に送信する。
【００９１】
このとき、前述の画像データ表示処理（図１のステップＳ１１）において、図１７に示されるように、図１の制御装置３０の画像データ表示制御部３３は、単一画像表示情報に応じて、１ページ分の画像データ（１ページ目の画像データ「Ａ」）を複数台の表示装置１０−１〜１０−４に表示する。
【００９２】
次に、単一画像表示モード（図９）の単一画像表示処理（図１０のステップＳ１０４）において、操作者１００１（図９）は、ページ表示欄１５３に対して、複数ページの画像データのうちの他の１ページ分の画像データ（２ページ目の画像データ「Ｂ」）を選択するための単一画像ページ操作（図１７を参照）を行なう。単一画像ページ操作が行なわれた場合、単一画像操作制御部１４２（図７）は、ページ操作情報送信処理を実行する（図１０のステップＳ１０５）。
【００９３】
上述の単一画像ページ操作は、操作者１００１（図９）が、表示部１５０のページ表示欄１５３に表示された複数ページの画像データのうちの１つの画像データ（例えば、２ページ目の画像データ「Ｂ」（図１７））をタッチ（タップ、ダブルタップ）する操作である。
【００９４】
単一画像表示モード（図９）のページ操作情報送信処理（図１０のステップＳ１０５）において、図１８に示されるように、単一画像操作制御部１４２は、他の１ページ分の画像データ（２ページ目の画像データ「Ｂ」）を、表示部１５０の画像表示欄１５２の表示装置識別情報ＩＤ１０−１〜ＩＤ１０−４に対応付けて表示する。このときに、単一画像操作制御部１４２（図７）は、他の１ページ分の画像データ（２ページ目の画像データ「Ｂ」）を表す単一画像ページ操作情報を制御装置３０に送信する。
【００９５】
前述のページ操作処理（図２のステップＳ１４）において、図１の制御装置３０の画像データ表示制御部３３は、外部端末１００からページ操作情報を受信していない場合は（図１０のステップＳ１４１−Ｎｏ）、後述のステップＳ１４２をスキップする。
【００９６】
前述のページ操作処理（図２のステップＳ１４）において、図１８に示されるように、図１の制御装置３０の画像データ表示制御部３３は、外部端末１００からページ操作情報として上述の単一画像ページ操作情報を受信した場合（図１０のステップＳ１４１−Ｙｅｓ）、単一画像ページ操作情報に応じて、他の１ページ分の画像データ（２ページ目の画像データ「Ｂ」）を複数台の表示装置１０−１〜１０−４に表示する（図１０のステップＳ１４２）。
【００９７】
以上の説明により、本発明の第１実施形態に係る表示システムは、図１に示されるように、複数台の表示装置１０−１〜１０−４と、複数台の表示装置１０−１〜１０−４にネットワークＮＥを介して接続された外部端末１００と、を具備している。図７〜１８に示されるように、外部端末１００は、表示部１５０と、複数台の表示装置１０−１〜１０−４が一列に並んで配置される複数画像表示モードにおいて、複数ページの画像データのうちの、複数台の表示装置１０−１〜１０−４に対応する表示装置１０の台数分のページの画像データを表示部１５０に表示すると共に、台数分のページの画像データをそれぞれ複数台の表示装置１０−１〜１０−４に表示させる複数画像表示制御部１３１と、複数画像表示モードにおいて、複数ページの画像データのうちの、台数分のページの画像データの次の台数分のページの画像データを選択する複数画像ページ操作が行なわれた場合、次の台数分のページの画像データを表示部１５０に表示すると共に、次の台数分のページの画像データをそれぞれ複数台の表示装置１０−１〜１０−４に表示させる複数画像操作制御部１４１と、複数台の表示装置１０−１〜１０−４の各々が離れて配置される単一画像表示モードにおいて、複数ページの画像データのうちの１ページ分の画像データを表示部１５０に表示すると共に、１ページ分の画像データを複数台の表示装置１０−１〜１０−４に表示させる単一画像表示制御部１３２と、単一画像表示モードにおいて、複数ページの画像データのうちの他の１ページ分の画像データを選択する単一画像ページ操作が行なわれた場合、他の１ページ分の画像データを表示部１５０に表示すると共に、他の１ページ分の画像データを複数台の表示装置１０−１〜１０−４に表示させる単一画像操作制御部１４２と、を具備している。
【００９８】
また、本発明の第１実施形態に係る表示システムでは、図１２〜１８に示されるように、表示部１５０は、複数台の表示装置１０−１〜１０−４の配置に対応させて操作者１００１が表示モードを複数画像表示モードと単一画像表示モードとの一方に切り替えるためのモード表示欄１５１を備えている。
【００９９】
また、本発明の第１実施形態に係る表示システムでは、図１２〜１８に示されるように、表示部１５０は、複数画像表示モード、または、単一画像表示モードにおいて、複数台の表示装置１０−１〜１０−４に表示される画像データと同じ画像データを表示するための画像表示欄１５２と、複数ページの画像データが表示され、複数画像表示モードにおける複数画像ページ操作、または、単一画像表示モードにおける単一画像ページ操作が行なわれるページ表示欄１５３と、を備えている。
【０１００】
また、本発明の第１実施形態に係る表示システムでは、図１２〜１８に示されるように、表示部１５０のページ表示欄１５３は、複数ページの画像データを、複数台の表示装置１０−１〜１０−４が配置されている方向である配置方向に対応して表示する。図１４に示されるように、複数画像ページ操作は、ページ表示欄１５３に表示された複数ページの画像データのうちの１つの画像データをタッチして、配置方向にスライドする操作、または、ページ表示欄１５３に表示された複数ページの画像データのうちの１つの画像データを配置方向にフリックする操作である。図１７に示されるように、単一画像ページ操作は、ページ表示欄１５３に表示された複数ページの画像データのうちの１つの画像データをタッチする操作である。
【０１０１】
このように、本発明の第１実施形態に係る表示システムによれば、複数画像表示モードにおいて、視聴者１００１が数ページの画像データ（台数分のページの画像データ）を一度に閲覧することができ、そのような利用形態（複数画像表示モード）において、操作者１００１が、台数分のページの画像データから、次の台数分のページの画像データにページ送りする際、そのページ送り（複数画像ページ操作）を容易に行なうことができる。また、本発明の第１実施形態に係る表示システムによれば、単一画像表示モードにおいて、大勢の視聴者１００２が画像データ（１ページ分の画像データ）を閲覧することができ、そのような利用形態（単一画像表示モード）において、操作者１００１が、１ページ分の画像データから、他の１ページ分の画像データにページ送りする際、そのページ送り（単一画像ページ操作）を容易に行なうことができる。
【０１０２】
［２．  第２実施形態］
本発明の第２実施形態に係る表示システムでは、操作者（図８、９）により指定された画像データについては複数台の表示装置１０−１〜１０−４のいずれかに常に表示していてもよい。第２実施形態では、第１実施形態からの変更点を説明する。
【０１０３】
図１９は、本発明の第２実施形態に係る表示システムにおいて、外部端末１００の構成を示すブロック図である。図１９に示されるように、複数画像操作制御部１４１は、更に、指定情報制御部２４１を備えている。単一画像操作制御部１４２は、更に、指定情報制御部２４２を備えている。
【０１０４】
次に、本発明の第２実施形態に係る表示システムの動作（表示処理）として、外部端末１００、及び、制御装置３０の動作について説明する。
【０１０５】
［２．１  複数画像表示モード］
まず、本発明の第２実施形態に係る表示システムの動作（表示処理）のページ操作処理として、複数画像表示モードについて、図２０〜２３を用いて説明する。
【０１０６】
図２０は、本発明の第２実施形態に係る表示システムの動作（表示処理）として、外部端末１００、及び、制御装置３０の動作を示すフローチャートである。図２１〜２３は、本発明の第２実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【０１０７】
外部端末１００において、前述のステップＳ１０１、Ｓ１０２−Ｙｅｓ、Ｓ１０３（図２０）が実行される。
【０１０８】
この場合、図２１に示されるように、表示部１５０のモード表示欄１５１は、複数画像表示モード（図８）が選択されていることを提示するために、複数画像表示モード選択ボタン１５１Ａを強調して表示している。また、図２１に示されるように、表示部１５０の画像表示欄１５２は、複数の表示装置識別情報ＩＤ１０−１〜ＩＤ１０−４と、複数台の表示装置１０−１〜１０−４に表示されている台数分のページの画像データ（１〜４ページ目の画像データ「Ａ」、「Ｂ」、「Ｃ」、「Ｄ」）と同じ画像データと、を対応付けて表示している。また、図２１に示されるように、表示部１５０のページ表示欄１５３は、複数ページの画像データのうちの１〜４ページ目の画像データ「Ａ」〜「Ｄ」を表示している。
【０１０９】
いま、図２１に示されるように、操作者１００１（図８）は、表示部１５０の画像表示欄１５２の表示装置識別情報ＩＤ１０−１〜ＩＤ１０−４にそれぞれ対応付けて表示された台数分のページの画像データ（１〜４ページ目の画像データ「Ａ」、「Ｂ」、「Ｃ」、「Ｄ」）のうちの、１ページ目の画像データ「Ａ」を、複数台の表示装置１０−１〜１０−４のうちの表示装置１０−１に常に表示させるために、画像表示欄１５２上で１ページ目の画像データ「Ａ」を指定画像データとして指定する。ここで、指定画像データは、複数台の表示装置１０−１〜１０−４に対応する表示装置１０の台数「４」よりも少ない数の画像データであることが好ましい。操作者１００１（図８）により指定画像データ（１ページ目の画像データ「Ａ」（図２１））が指定された場合、図１９の複数画像操作制御部１４１の指定情報制御部２４１は、画像指定処理を実行する（図２０のステップＳ２０１）。
【０１１０】
上述の指定画像データを指定する操作は、図２１の表示部１５０の画像表示欄１５２に表示された台数分のページの画像データ（１〜４ページ目の画像データ「Ａ」、「Ｂ」、「Ｃ」、「Ｄ」）のうちの１つの画像データ（１ページ目の画像データ「Ａ」）をタッチ（タップ、ダブルタップ）する操作である。ここで、上述の指定画像データを指定する操作は、図２１の表示部１５０の画像表示欄１５２に表示された表示装置識別情報ＩＤ１０−１〜ＩＤ１０−４のうちの、１ページ目の画像データ「Ａ」に対応付けられた表示装置識別情報ＩＤ１０−１をタッチ（タップ、ダブルタップ）する操作でもよい。
【０１１１】
複数画像表示モード（図８）の画像指定処理（図２０のステップＳ２０１）において、図２１に示されるように、図１９の複数画像操作制御部１４１の指定情報制御部２４１は、複数台の表示装置１０−１〜１０−４のうちの、指定画像データ（１ページ目の画像データ「Ａ」）を表示している表示装置１０−１を指定表示装置として指定し、指定画像データ（１ページ目の画像データ「Ａ」）と指定表示装置（表示装置１０−１）とを対応付ける複数画像表示モード指定情報２１１を生成する。
【０１１２】
複数画像表示モード（図８）の画像指定処理（図２０のステップＳ２０１）において、複数画像表示モード指定情報２１１が生成された後に、すなわち、指定画像データ（１ページ目の画像データ「Ａ」）と指定表示装置（表示装置１０−１）とが指定された後に、操作者１００１（図８）は、ページ表示欄１５３に対して、複数ページの画像データのうちの、台数分のページの画像データ（１〜４ページ目の画像データ「Ａ」、「Ｂ」、「Ｃ」、「Ｄ」）の次の台数分のページの画像データ（４〜７ページ目の画像データ「Ｄ」、「Ｅ」、「Ｆ」、「Ｇ」）を選択するための複数画像ページ操作（図２２を参照）を行なう。複数画像ページ操作が行なわれた場合、複数画像操作制御部１４１（図１９）は、ページ操作情報送信処理を実行する（図２０のステップＳ１０５）。
【０１１３】
上述の複数画像ページ操作は、操作者１００１（図８）が、表示部１５０のページ表示欄１５３に表示された複数ページの画像データのうちの１つの画像データ（例えば、４ページ目の画像データ「Ｄ」（図２２））をタッチ（タップ、ダブルタップ）して、その画像データ（４ページ目の画像データ「Ｄ」（図２２））を設定時間以内に配置方向にスライドする操作（ドラッグする操作）である。
【０１１４】
複数画像表示モード（図８）のページ操作情報送信処理（図２０のステップＳ１０５）において、複数画像操作制御部１４１（図１９）は、編成画像データを生成する。編成画像データは、次の台数分のページの画像データ（４〜７ページ目の画像データ「Ｄ」、「Ｅ」、「Ｆ」、「Ｇ」）のうちの、最終ページ目の画像データ（７ページ目の画像データ「Ｇ」）から、複数画像表示モード指定情報２１１が表す指定画像データ（１ページ目の画像データ「Ａ」（図２２））の数（この場合、「１」）に対応する画像データを除いた画像データ（４〜６ページ目の画像データ「Ｄ」、「Ｅ」、「Ｆ」（図２３））である。
【０１１５】
複数画像表示モード（図８）のページ操作情報送信処理（図２０のステップＳ１０５）において、図２３に示されるように、複数画像操作制御部１４１（図１９）は、指定画像データ（１ページ目の画像データ「Ａ」）、編成画像データ（４〜６ページ目の画像データ「Ｄ」、「Ｅ」、「Ｆ」）を、それぞれ、表示部１５０の画像表示欄１５２の表示装置識別情報ＩＤ１０−１、ＩＤ１０−２〜ＩＤ１０−４に対応付けて表示する。このとき、複数画像操作制御部１４１（図１９）は、複数画像ページ操作情報を制御装置３０に送信する。複数画像ページ操作情報は、複数画像表示モード指定情報２１１と、編成画像データ（４〜６ページ目の画像データ「Ｄ」、「Ｅ」、「Ｆ」）と、を含んでいる。
【０１１６】
図２のステップＳ１４（ページ操作処理）において、図２３に示されるように、図１の制御装置３０の画像データ表示制御部３３は、外部端末１００からページ操作情報として上述の複数画像ページ操作情報を受信した場合（図２０のステップＳ１４１−Ｙｅｓ）、複数画像ページ操作情報に応じて、複数画像表示モード指定情報２１１が表す指定画像データ（１ページ目の画像データ「Ａ」）を、複数台の表示装置１０−１〜１０−４のうちの、複数画像表示モード指定情報２１１が表す指定表示装置（表示装置１０−１）に表示し、編成画像データ（４〜６ページ目の画像データ「Ｄ」、「Ｅ」、「Ｆ」）を、複数台の表示装置１０−１〜１０−４のうちの指定表示装置（表示装置１０−１）以外の表示装置（表示装置１０−２〜１０−４）に表示する（図２０のステップＳ１４２）。
【０１１７】
［２．２  単一画像表示モード］
次に、本発明の第２実施形態に係る表示システムの動作（表示処理）のページ操作処理として、単一画像表示モードについて、図２０、２４〜２６を用いて説明する。
【０１１８】
図２４〜２６は、本発明の第２実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【０１１９】
外部端末１００において、前述のステップＳ１０１、Ｓ１０２−Ｎｏ、Ｓ１０４（図２０）が実行される。
【０１２０】
この場合、図２４に示されるように、表示部１５０のモード表示欄１５１は、単一画像表示モード（図９）が選択されていることを提示するために、単一画像表示モード選択ボタン１５１Ｂを強調して表示している。また、図２４に示されるように、表示部１５０の画像表示欄１５２は、複数の表示装置識別情報ＩＤ１０−１〜ＩＤ１０−４と、複数台の表示装置１０−１〜１０−４に表示されている１ページ分の画像データ（１ページ目の画像データ「Ａ」、「Ａ」、「Ａ」、「Ａ」）と同じ画像データと、を対応付けて表示している。また、図２４に示されるように、表示部１５０のページ表示欄１５３は、複数ページの画像データのうちの１〜４ページ目の画像データ「Ａ」〜「Ｄ」を表示している。
【０１２１】
いま、図２４に示されるように、操作者１００１（図９）は、表示部１５０の画像表示欄１５２の表示装置識別情報ＩＤ１０−１〜ＩＤ１０−４に対応付けて表示された１ページ目の画像データ「Ａ」のうちの、表示装置識別情報ＩＤ１０−１に対応付けて表示された１ページ目の画像データ「Ａ」を、複数台の表示装置１０−１〜１０−４のうちの表示装置１０−１に常に表示させるために、画像表示欄１５２上で表示装置識別情報ＩＤ１０−１を指定する。すなわち、操作者１００１（図９）は、１ページ目の画像データ「Ａ」が表示された複数台の表示装置１０−１〜１０−４のうちの、表示装置１０−１を指定表示装置として指定する。ここで、指定表示装置は、表示装置１０の台数「４」よりも少ない数の表示装置であることが好ましい。操作者１００１（図９）により指定表示装置（表示装置１０−１）が指定された場合、図１９の単一画像操作制御部１４２の指定情報制御部２４２は、画像指定処理を実行する（図２０のステップＳ２０１）。
【０１２２】
上述の指定表示装置を指定する操作は、図２４の表示部１５０の画像表示欄１５２に表示された表示装置識別情報ＩＤ１０−１〜ＩＤ１０−４のうちの１つの表示装置識別情報（表示装置識別情報ＩＤ１０−１）をタッチ（タップ、ダブルタップ）する操作である。ここで、上述の指定表示装置を指定する操作は、図２４の表示部１５０の画像表示欄１５２に表示された１ページ目の画像データ「Ａ」のうちの、表示装置識別情報ＩＤ１０−１に対応付けられた１ページ目の画像データ「Ａ」をタッチ（タップ、ダブルタップ）する操作でもよい。
【０１２３】
単一画像表示モード（図９）の画像指定処理（図２０のステップＳ２０１）において、図２５に示されるように、図１９の単一画像操作制御部１４２の指定情報制御部２４２は、指定表示装置（表示装置１０−１）に表示された画像データ（１ページ目の画像データ「Ａ」）を指定画像データとして指定し、指定表示装置（表示装置１０−１）と指定画像データ（１ページ目の画像データ「Ａ」）とを対応付ける単一画像表示モード指定情報２１２を生成する。
【０１２４】
単一画像表示モード（図９）の画像指定処理（図２０のステップＳ２０１）において、単一画像表示モード指定情報２１２が生成された後に、すなわち、指定表示装置（表示装置１０−１）と指定画像データ（１ページ目の画像データ「Ａ」）とが指定された後に、操作者１００１（図９）は、ページ表示欄１５３に対して、複数ページの画像データのうちの他の１ページ分の画像データ（２ページ目の画像データ「Ｂ」）を選択するための単一画像ページ操作（図２５を参照）を行なう。単一画像ページ操作が行なわれた場合、単一画像操作制御部１４２（図１９）は、ページ操作情報送信処理を実行する（図２０のステップＳ１０５）。
【０１２５】
上述の単一画像ページ操作は、操作者１００１（図９）が、表示部１５０のページ表示欄１５３に表示された複数ページの画像データのうちの１つの画像データ（例えば、２ページ目の画像データ「Ｂ」（図２５））をタッチ（タップ、ダブルタップ）する操作である。
【０１２６】
単一画像表示モード（図９）のページ操作情報送信処理（図２０のステップＳ１０５）において、図２６に示されるように、単一画像操作制御部１４２（図１９）は、指定画像データ（１ページ目の画像データ「Ａ」）、他の１ページ分の画像データ（２ページ目の画像データ「Ｂ」、「Ｂ」、「Ｂ」）を、それぞれ、表示部１５０の画像表示欄１５２の表示装置識別情報ＩＤ１０−１、ＩＤ１０−２〜ＩＤ１０−４に対応付けて表示する。このとき、単一画像操作制御部１４２は、単一画像ページ操作情報を制御装置３０に送信する。単一画像ページ操作情報は、単一画像表示モード指定情報２１２と、他の１ページ分の画像データ（２ページ目の画像データ「Ｂ」）と、を含んでいる。
【０１２７】
図２のステップＳ１４（ページ操作処理）において、図２６に示されるように、図１の制御装置３０の画像データ表示制御部３３は、外部端末１００からページ操作情報として上述の単一画像ページ操作情報を受信した場合（図２０のステップＳ１４１−Ｙｅｓ）、単一画像ページ操作情報に応じて、単一画像表示モード指定情報２１２が表す指定画像データ（１ページ目の画像データ「Ａ」）を、複数台の表示装置１０−１〜１０−４のうちの、単一画像表示モード指定情報２１２が表す指定表示装置（表示装置１０−１）に表示し、他の１ページ分の画像データ（２ページ目の画像データ「Ｂ」）を、複数台の表示装置１０−１〜１０−４のうちの指定表示装置（表示装置１０−１）以外の表示装置（表示装置１０−２〜１０−４）に表示する（図２０のステップＳ１４２）。
【０１２８】
以上の説明により、本発明の第２実施形態に係る表示システムでは、図１９〜２３に示されるように、複数画像操作制御部１４１は、複数画像表示モードにおいて、表示部１５０に表示された台数分のページの画像データのうちの、複数台の表示装置１０−１〜１０−４に対応する表示装置１０の台数よりも少ない数の画像データが指定画像データとして指定された場合、複数台の表示装置１０−１〜１０−４のうちの、指定画像データを表示している表示装置１０−１を指定表示装置として指定する。複数画像操作制御部１４１は、指定画像データと指定表示装置１０−１とが指定された後に、前述の複数画像ページ操作が行なわれた場合、次の台数分のページの画像データのうちの、最終ページ目の画像データから、指定画像データの数に対応する画像データを除いた画像データである再編成画像データを生成する。このとき、複数画像操作制御部１４１は、指定画像データと再編成画像データとを表示部１５０に表示すると共に、指定画像データを複数台の表示装置１０−１〜１０−４のうちの指定表示装置１０−１に表示させて、再編成画像データを複数台の表示装置１０−１〜１０−４のうちの指定表示装置１０−１以外の表示装置１０−２〜１０−４に表示させる。
【０１２９】
また、本発明の第２実施形態に係る表示システムでは、図１９、２０、２４〜２６に示されるように、単一画像操作制御部１４２は、単一画像表示モードにおいて、表示部１５０上で、複数台の表示装置１０−１〜１０−４のうちの、複数台の表示装置１０−１〜１０−４に対応する表示装置１０の台数よりも少ない数の表示装置１０−１が指定表示装置として指定された場合、指定表示装置１０−１に表示された１ページ分の画像データを指定画像データとして指定する。単一画像操作制御部１４２は、指定表示装置１０−１と指定画像データとが指定された後に、前述の単一画像ページ操作が行なわれた場合、指定画像データと他の１ページ分の画像データとを表示部１５０に表示すると共に、指定画像データを複数台の表示装置１０−１〜１０−４のうちの指定表示装置１０−１に表示させて、他の１ページ分の画像データを複数台の表示装置１０−１〜１０−４のうちの指定表示装置１０−１以外の表示装置１０−２〜１０−４に表示させる。
【０１３０】
このように、本発明の第２実施形態に係る表示システムによれば、複数画像表示モードにおいて、視聴者１００１が数ページの画像データ（台数分のページの画像データ）を一度に閲覧することができ、そのような利用形態（複数画像表示モード）において、操作者１００１が、指定したページの画像データ（指定画像データ）を常に表示させて、台数分のページの画像データから、再編成画像データにページ送りする際、そのページ送り（複数画像ページ操作）を容易に行なうことができる。また、本発明の第２実施形態に係る表示システムによれば、単一画像表示モードにおいて、大勢の視聴者１００２が画像データ（１ページ分の画像データ）を閲覧することができ、そのような利用形態（単一画像表示モード）において、操作者１００１が、一部の視聴者１００２だけ１ページ分の画像データ（指定画像データ）を常に提示させて、１ページ分の画像データから、他の１ページ分の画像データにページ送りする際、そのページ送り（単一画像ページ操作）を容易に行なうことができる。
【０１３１】
本発明の第２実施形態に係る表示システムによれば、特に、複数画像表示モード、または、単一画像表示モードにおいて、操作者１００１が、説明の都合上、現在表示しているページの画像データ（指定画像データ）を提示しておきたい場合に有効である。例えば、複数画像表示モードでは、現在表示しているページの画像データ（指定画像データ）に数式が表記され、その数式を用いた文が次のページの画像データ（再編成画像データ）に表記されている場合に有効である。この場合、操作者が、次のページの画像データ（再編成画像データ）に対する説明を行なうときに、以前に表示したページの画像データに何度もページ戻しを行なうような状況を回避することができる。また、単一画像表示モードでは、現在表示しているページの画像データ（指定画像データ）に写真が添付され、その写真（指定画像データ）を一部の視聴者１００２だけに常に提示させたい場合に有効である。
【０１３２】
［３．  第３実施形態］
本発明の第３実施形態に係る表示システムでは、複数台の表示装置１０−１〜１０−４に表示されている画像データを操作者（図８、９）の操作により入れ替えてもよい（切り替えてもよい）。第３実施形態では、第２実施形態からの変更点を説明する。
【０１３３】
図２７は、本発明の第３実施形態に係る表示システムにおいて、外部端末１００の構成を示すブロック図である。図２７に示されるように、複数画像操作制御部１４１は、更に、画像切替表示制御部３４１を備えている。単一画像操作制御部１４２は、更に、画像切替表示制御部３４２を備えている。
【０１３４】
次に、本発明の第３実施形態に係る表示システムの動作（表示処理）として、外部端末１００、及び、制御装置３０の動作について説明する。
【０１３５】
［３．１  複数画像表示モード］
まず、本発明の第３実施形態に係る表示システムの動作（表示処理）のページ操作処理として、複数画像表示モードについて、図２８〜３１を用いて説明する。
【０１３６】
図２８は、本発明の第３実施形態に係る表示システムの動作（表示処理）として、外部端末１００、及び、制御装置３０の動作を示すフローチャートである。図２９〜３１は、本発明の第３実施形態に係る表示システムの動作（表示処理）のページ操作処理において、複数画像表示モードにより、外部端末１００の表示部１５０、及び、複数台の表示装置１０−１〜１０−４に表示される画像データを示す図である。
【０１３７】
外部端末１００において、前述のステップＳ１０１、Ｓ１０２−Ｙｅｓ、Ｓ１０３、Ｓ２０１（図２８）が実行される。
【０１３８】
この場合、図２９に示されるように、表示部１５０のモード表示欄１５１は、複数画像表示モード（図８）が選択されていることを提示するために、複数画像表示モード選択ボタン１５１Ａを強調して表示している。また、図２９に示されるように、表示部１５０の画像表示欄１５２は、複数の表示装置識別情報ＩＤ１０−１〜ＩＤ１０−４と、複数台の表示装置１０−１〜１０−４に表示されている画像データ（例えば、指定画像データ（１ページ目の画像データ「Ａ」）、編成画像データ（４〜６ページ目の画像データ「Ｄ」、「Ｅ」、「Ｆ」））と同じ画像データと、を対応付けて表示している。また、図２９に示されるように、表示部１５０のページ表示欄１５３は、複数ページの画像データのうちの、指定画像データ（１ページ目の画像データ「Ａ」と、４〜６ページ目の画像データ「Ｄ」〜「Ｆ」を表示している。
【０１３９】
いま、操作者１００１（図８）は、表示部１５０の画像表示欄１５２に表示された複数の表示装置識別情報ＩＤ１０−１〜ＩＤ１０−４のうちの２つの表示装置識別情報ＩＤ１０−４、ＩＤ１０−３を第１、第２の表示装置識別情報として指定する画像切替操作（図３０を参照）を行なう。画像切替操作が行なわれた場合、図２７の複数画像操作制御部１４１の画像切替表示制御部３４１は、画像切替処理を実行する（図２８のステップＳ３０１）。
【０１４０】
複数画像表示モード（図８）における画像切替操作は、操作者１００１（図８）が、表示部１５０の画像表示欄１５２に表示されている第１の表示装置識別情報（表示装置識別情報ＩＤ１０−４（図３０））、または、第１の表示装置識別情報（表示装置識別情報ＩＤ１０−４）に対応付けられて表示されている画像データ（６ページ目の画像データ「Ｆ」）をタッチ（タップ、ダブルタップ）して、その第１の表示装置識別情報（表示装置識別情報ＩＤ１０−４（図３０））、または、その画像データ（６ページ目の画像データ「Ｆ」）を、画像表示欄１５２に表示されている第２の表示装置識別情報（表示装置識別情報ＩＤ１０−３）、または、第２の表示装置識別情報（表示装置識別情報ＩＤ１０−３）に対応付けられて表示されている画像データ（５ページ目の画像データ「Ｅ」）まで、設定時間以内に、スライドする操作である。
【０１４１】
複数画像表示モード（図８）の画像切替処理（図２８のステップＳ３０１）において、図２７の複数画像操作制御部１４１の画像切替表示制御部３４１は、第１の表示装置識別情報（表示装置識別情報ＩＤ１０−４）に対応付けられて表示されている画像データ（６ページ目の画像データ「Ｆ」）を第１の画像データとして指定し、第２の表示装置識別情報（表示装置識別情報ＩＤ１０−３）に対応付けられて表示されている画像データ（５ページ目の画像データ「Ｅ」）を第２の画像データとして指定する。
【０１４２】
このとき、複数画像表示モード（図８）の画像切替処理（図２８のステップＳ３０１）において、図３１に示されるように、図２７の複数画像操作制御部１４１の画像切替表示制御部３４１は、第１の表示装置識別情報（表示装置識別情報ＩＤ１０−４）に対応付けられて表示されている第１の画像データ（６ページ目の画像データ「Ｆ」）を第２の表示装置識別情報（表示装置識別情報ＩＤ１０−３）に対応付けて画像表示欄１５２に表示し、第２の表示装置識別情報（表示装置識別情報ＩＤ１０−３）に対応付けられて表示されている画像データ（５ページ目の画像データ「Ｅ」）を第１の表示装置識別情報（表示装置識別情報ＩＤ１０−４）に対応付けて画像表示欄１５２に表示する。複数画像表示モード（図８）の画像切替処理が実行された場合、複数画像操作制御部１４１（図２７）は、ページ操作情報送信処理を実行する（図２８のステップＳ１０５）。
【０１４３】
複数画像表示モード（図８）のページ操作情報送信処理（図２８のステップＳ１０５）において、複数画像操作制御部１４１（図２７）は、画像切替情報を生成して、制御装置３０に送信する。画像切替情報は、第１の画像データ（６ページ目の画像データ「Ｆ」）と、第２の表示装置識別情報（表示装置識別情報ＩＤ１０−３）が表す表示装置（表示装置１０−３）である第２の表示装置とを対応付け、かつ、第２の画像データ（５ページ目の画像データ「Ｅ」）と、第１の表示装置識別情報（表示装置識別情報ＩＤ１０−４）が表す表示装置（表示装置１０−４）である第１の表示装置とを対応付ける情報である。
【０１４４】
図２のステップＳ１４（ページ操作処理）において、図３１に示されるように、図１の制御装置３０の画像データ表示制御部３３は、外部端末１００からページ操作情報として上述の画像切替情報を受信した場合（図２８のステップＳ１４１−Ｙｅｓ）、画像切替情報に応じて、複数台の表示装置１０−１〜１０−４に表示されている画像データ（１ページ目の画像データ「Ａ」、４〜６ページ目の画像データ「Ｄ」、「Ｅ」、「Ｆ」）のうちの、第１の表示装置（表示装置１０−４）に表示されている第１の画像データ（６ページ目の画像データ「Ｆ」）を第２の表示装置（表示装置１０−３）に表示し、第２の表示装置（表示装置１０−３）に表示されている第２の画像データ（５ページ目の画像データ「Ｅ」）を第１の表示装置（表示装置１０−４）に表示する（図２８のステップＳ１４２）。
【０１４５】
［３．２  単一画像表示モード］
次に、本発明の第３実施形態に係る表示システムの動作（表示処理）のページ操作処理として、単一画像表示モードについて、図３２〜３４を用いて説明する。
【０１４６】
図３２〜３４は、本発明の第３実施形態に係る表示システムの動作（表示処理）のページ操作処理において、単一画像表示モードにより、外部端末１００の表示部１５０、及び、複数台の表示装置１０−１〜１０−４に表示される画像データを示す図である。
【０１４７】
外部端末１００において、前述のステップＳ１０１、Ｓ１０２−Ｎｏ、Ｓ１０４、Ｓ２０１（図２８）が実行される。
【０１４８】
この場合、図３２に示されるように、表示部１５０のモード表示欄１５１は、単一画像表示モード（図９）が選択されていることを提示するために、単一画像表示モード選択ボタン１５１Ｂを強調して表示している。また、図３２に示されるように、表示部１５０の画像表示欄１５２は、複数の表示装置識別情報ＩＤ１０−１〜ＩＤ１０−４と、複数台の表示装置１０−１〜１０−４に表示されている画像データ（例えば、指定画像データ（１ページ目の画像データ「Ａ」）、２ページ目の画像データ「Ｂ」、「Ｂ」、「Ｂ」、「Ｂ」）と同じ画像データと、を対応付けて表示している。また、図３２に示されるように、表示部１５０のページ表示欄１５３は、複数ページの画像データのうちの、指定画像データ（１ページ目の画像データ「Ａ」と、２〜４ページ目の画像データ「Ｂ」〜「Ｄ」を表示している。
【０１４９】
いま、単一画像表示モード（図９）において、操作者１００１（図９）は、表示部１５０の画像表示欄１５２に表示された複数の表示装置識別情報ＩＤ１０−１〜ＩＤ１０−４のうちの２つの表示装置識別情報ＩＤ１０−１、ＩＤ１０−３を第１、第２の表示装置識別情報として指定する画像切替操作（図３３を参照）を行なう。画像切替操作が行なわれた場合、図２７の単一画像操作制御部１４２の画像切替表示制御部３４１は、画像切替処理を実行する（図２８のステップＳ３０１）。
【０１５０】
単一画像表示モード（図９）における画像切替操作は、操作者１００１（図９）が、表示部１５０の画像表示欄１５２に表示されている第１の表示装置識別情報（表示装置識別情報ＩＤ１０−１（図３３））、または、第１の表示装置識別情報（表示装置識別情報ＩＤ１０−１）に対応付けられて表示されている画像データ（１ページ目の画像データ「Ａ」）をタッチ（タップ、ダブルタップ）して、その第１の表示装置識別情報（表示装置識別情報ＩＤ１０−１（図３３））、または、その画像データ（１ページ目の画像データ「Ａ」）を、画像表示欄１５２に表示されている第２の表示装置識別情報（表示装置識別情報ＩＤ１０−３）、または、第２の表示装置識別情報（表示装置識別情報ＩＤ１０−３）に対応付けられて表示されている画像データ（２ページ目の画像データ「Ｂ」）まで、設定時間以内に、スライドする操作である。
【０１５１】
単一画像表示モード（図９）の画像切替処理（図２８のステップＳ３０１）において、図２７の単一画像操作制御部１４２の画像切替表示制御部３４１は、第１の表示装置識別情報（表示装置識別情報ＩＤ１０−１）に対応付けられて表示されている画像データ（１ページ目の画像データ「Ａ」）を第１の画像データとして指定し、第２の表示装置識別情報（表示装置識別情報ＩＤ１０−３）に対応付けられて表示されている画像データ（２ページ目の画像データ「Ｂ」）を第２の画像データとして指定する。
【０１５２】
このとき、単一画像表示モード（図９）の画像切替処理（図２８のステップＳ３０１）において、図３４に示されるように、図２７の単一画像操作制御部１４２の画像切替表示制御部３４１は、第１の表示装置識別情報（表示装置識別情報ＩＤ１０−１）に対応付けられて表示されている第１の画像データ（１ページ目の画像データ「Ａ」）を第２の表示装置識別情報（表示装置識別情報ＩＤ１０−３）に対応付けて画像表示欄１５２に表示し、第２の表示装置識別情報（表示装置識別情報ＩＤ１０−３）に対応付けられて表示されている画像データ（２ページ目の画像データ「Ｂ」）を第１の表示装置識別情報（表示装置識別情報ＩＤ１０−１）に対応付けて画像表示欄１５２に表示する。単一画像表示モード（図９）の画像切替処理が実行された場合、単一画像操作制御部１４２（図２７）は、ページ操作情報送信処理を実行する（図２８のステップＳ１０５）。
【０１５３】
単一画像表示モード（図９）のページ操作情報送信処理（図２８のステップＳ１０５）において、単一画像操作制御部１４２（図２７）は、画像切替情報を生成して、制御装置３０に送信する。画像切替情報は、第１の画像データ（１ページ目の画像データ「Ａ」）と、第２の表示装置識別情報（表示装置識別情報ＩＤ１０−３）が表す表示装置（表示装置１０−３）である第２の表示装置とを対応付け、かつ、第２の画像データ（２ページ目の画像データ「Ｂ」）と、第１の表示装置識別情報（表示装置識別情報ＩＤ１０−１）が表す表示装置（表示装置１０−１）である第１の表示装置とを対応付ける情報である。
【０１５４】
図２のステップＳ１４（ページ操作処理）において、図３４に示されるように、図１の制御装置３０の画像データ表示制御部３３は、外部端末１００からページ操作情報として上述の画像切替情報を受信した場合（図２８のステップＳ１４１−Ｙｅｓ）、画像切替情報に応じて、複数台の表示装置１０−１〜１０−４に表示されている画像データ（１ページ目の画像データ「Ａ」、２ページ目の画像データ「Ｂ」、「Ｂ」、「Ｂ」）のうちの、第１の表示装置（表示装置１０−１）に表示されている第１の画像データ（１ページ目の画像データ「Ａ」）を第２の表示装置（表示装置１０−３）に表示し、第２の表示装置（表示装置１０−３）に表示されている第２の画像データ（２ページ目の画像データ「Ｂ」）を第１の表示装置（表示装置１０−１）に表示する（図２８のステップＳ１４２）。
【０１５５】
以上の説明により、本発明の第３実施形態に係る表示システムでは、図２９〜３４に示されるように、表示部１５０の画像表示欄１５２は、複数台の表示装置１０−１〜１０−４のそれぞれを識別するための複数の表示装置識別情報ＩＤ１０−１〜ＩＤ１０−４と、複数台の表示装置１０−１〜１０−４に表示される画像データと同じ画像データと、を対応付けて表示する。図２７〜３４に示されるように、外部端末１００は、ページ表示欄１５３に表示された複数の表示装置識別情報ＩＤ１０−１〜ＩＤ１０−４のうちの２つの表示装置識別情報を第１、第２の表示装置識別情報として指定する画像切替操作が行なわれた場合、ページ表示欄１５３に表示された画像データのうちの、第１の表示装置識別情報に対応付けられて表示されている画像データである第１の画像データを第２の表示装置識別情報に対応付けてページ表示欄１５３に表示し、第２の表示装置識別情報に対応付けられて表示されている画像データである第２の画像データを第１の表示装置識別情報に対応付けてページ表示欄１５３に表示する画像切替表示制御部３４１、３４２を更に具備している。画像切替表示制御部３４１、３４２は、画像切替操作が行なわれた場合、複数台の表示装置１０−１〜１０−４に表示されている画像データのうちの、第１の表示装置に表示されている第１の画像データを第２の表示装置に表示させ、第２の表示装置に表示されている第２の画像データを第１の表示装置に表示させる。
【０１５６】
また、本発明の第３実施形態に係る表示システムでは、図３０、３３に示されるように、画像切替操作は、画像表示欄１５２に表示されている第１の表示装置識別情報または第１の画像データをタッチして、画像表示欄１５２に表示されている第２の表示装置識別情報または第２の画像データまでスライドする操作である。
【０１５７】
このように、本発明の第３実施形態に係る表示システムによれば、複数画像表示モードにおいて、視聴者１００１が数ページの画像データ（例えば、指定画像データ、及び、再編成画像データ）を一度に閲覧することができ、そのような利用形態（複数画像表示モード）において、操作者１００１が、数ページの画像データのうちの２つの画像データの表示を切り替える際（例えば、再編成画像データの５ページ目の画像データ「Ｅ」と６ページ目の画像データ「Ｆ」との表示を切り替える際）、その画像切替操作（ページ操作）を容易に行なうことができる。また、本発明の第３実施形態に係る表示システムによれば、単一画像表示モードにおいて、大勢の視聴者１００２が画像データ（例えば、指定画像データ、及び、他の１ページ分の画像データ）を閲覧することができ、そのような利用形態（単一画像表示モード）において、操作者１００１が、２つの表示装置に表示される画像データを切り替える際（例えば、表示装置１０−１に表示されている指定画像データである１ページ目の画像データ「Ａ」と、表示装置１０−３に表示されている２ページ目の画像データ「Ｂ」とを切り替える際）、その画像切替操作（ページ操作）を容易に行なうことができる。
【０１５８】
本発明の第３実施形態に係る表示システムによれば、特に、複数画像表示モード、または、単一画像表示モードにおいて、操作者１００１が、説明する順番を入れ替えて、画像データに対する説明を行ないたい場合に有効である。例えば、複数画像表示モードでは、あるページの画像データに特定の内容（事故や失敗談など）が表記され、そのページの次のページの画像データに上記内容の結論（事故の原因や失敗の要因など）が表記されているときに、操作者１００１が、先に結論を説明してから、その内容を説明したい場合に有効である。また、単一画像表示モードでは、あるページの画像データに問題文が表記され、そのページの次のページの画像データに上記問題文の回答が表記されているときに、操作者１００１が、各表示装置１０の近くにいる視聴者１００２に順番に上記回答を提示したい場合に有効である。
【０１５９】
［４．  第４実施形態］
本発明の第４実施形態に係る表示システムでは、前述の複数画像表示モード（図８）と前述の単一画像表示モード（図９）とを組み合わせてもよい。第４実施形態では、第３実施形態からの変更点を説明する。
【０１６０】
図３５は、本発明の第４実施形態に係る表示システムの構成において、グループ毎の複数画像表示モードによる複数台の表示装置１０−１〜１０−４の配置を示す図である。
【０１６１】
図３５に示されるように、グループ毎の複数画像表示モードは、前述の複数画像表示モード（図８）を、前述の単一画像表示モード（図９）毎にグループ化したような表示モードである。具体的には、グループ毎の複数画像表示モード（図３５）において、複数台の表示装置１０−１〜１０−４は、表示装置１０−１〜１０−２と表示装置１０−３〜１０−４とのグループに分けられ、表示装置１０−１〜１０−２を第１のグループとし、表示装置１０−３〜１０−４を第２のグループとする。第１のグループの表示装置１０−１〜１０−２は、一列に並んで配置されている。また、第２のグループの表示装置１０−３〜１０−４は、一列に並んで配置されている。第１のグループの表示装置１０−１〜１０−２と、第２のグループの表示装置１０−３〜１０−４とは、離れて配置されている。
【０１６２】
次に、本発明の第４実施形態に係る表示システムの動作（表示処理）として、外部端末１００、及び、制御装置３０の動作について、図３６〜３８説明する。
【０１６３】
図３６は、本発明の第４実施形態に係る表示システムの動作（表示処理）として、外部端末１００、及び、制御装置３０の動作を示すフローチャートである。図３７〜３８は、本発明の第４実施形態に係る表示システムの動作（表示処理）のページ操作処理において、グループ毎の複数画像表示モードにより、外部端末１００の表示部１５０、及び、複数台の表示装置１０−１〜１０−４に表示される画像データを示す図である。
【０１６４】
外部端末１００において、前述のステップＳ１０１（図３６）が実行される。
【０１６５】
ここで、図３７に示されるように、モード表示欄１５１は、更に、操作者１００１（図３５）がグループ毎の複数画像表示モード（図３５）を選択するためのグループ画像表示モード選択ボタン１５１Ｃを備えている。
【０１６６】
図３７に示されるように、操作者１００１（図３５）は、表示部１５０のモード表示欄１５１に表示されたグループ画像表示モード選択ボタン１５１Ｃを押下する。この場合、グループ毎の複数画像表示モード（図３５）が選択される（図３６のステップＳ１０２−Ｙｅｓ、Ｓ４０１−Ｙｅｓ）。なお、操作者１００１（図８）が、表示部１５０のモード表示欄１５１に表示された複数画像表示モード選択ボタン１５１Ａを押下した場合は、前述の複数画像表示モード（図８）が選択される（図３６のステップＳ１０２−Ｙｅｓ、Ｓ４０１−Ｎｏ）。
【０１６７】
グループ毎の複数画像表示モード（図３５）が選択された場合、モード切替表示制御部１３３（図２７）は、グループ画像表示モード選択ボタン１５１Ｃを強調してモード表示欄１５１（図３７を参照）に表示する。
【０１６８】
グループ毎の複数画像表示モード（図３５）は、複数画像表示制御部１３１（図２７を参照）により実行される。グループ毎の複数画像表示モード（図３５）において、複数画像表示制御部１３１（図２７）は、グループ毎の複数画像表示処理を実行する（図３６のステップＳ４０２）。
【０１６９】
グループ毎の複数画像表示モード（図３５）の複数画像表示処理（図３６のステップＳ４０２）において、図３８に示されるように、複数画像表示制御部１３１（図２７）は、複数ページの画像データのうちの、複数台の表示装置１０−１〜１０−２に対応する表示装置の台数分のページの画像データ（１〜２ページ目の画像データ「Ａ」、「Ｂ」）を、それぞれ、表示部１５０の画像表示欄１５２の表示装置識別情報ＩＤ１０−１〜ＩＤ１０−２に対応付けて表示する。また、複数画像表示制御部１３１（図２７）は、複数ページの画像データのうちの、複数台の表示装置１０−３〜１０−４に対応する表示装置の台数分のページの画像データ（１〜２ページ目の画像データ「Ａ」、「Ｂ」）を、それぞれ、表示部１５０の画像表示欄１５２の表示装置識別情報ＩＤ１０−３〜ＩＤ１０−４に対応付けて表示する。このとき、複数画像表示制御部１３１（図２７）は、台数分のページの画像データ（１〜２ページ目の画像データ「Ａ」、「Ｂ」）を表す複数画像表示情報を制御装置３０に送信する。
【０１７０】
このとき、前述の画像データ表示処理（図１のステップＳ１１）において、図３８に示されるように、図１の制御装置３０の画像データ表示制御部３３は、複数画像表示情報に応じて、台数分のページの画像データ（１〜２ページ目の画像データ「Ａ」、「Ｂ」）をそれぞれ複数台の表示装置１０−１〜１０−２に表示する。同様に、台数分のページの画像データ（１〜２ページ目の画像データ「Ａ」、「Ｂ」）をそれぞれ複数台の表示装置１０−３〜１０−４に表示する。
【０１７１】
その後、外部端末１００において、前述のステップＳ２０１以降の処理（図３６）が実行される。
【０１７２】
以上の説明により、本発明の第４実施形態に係る表示システムでは、複数画像表示モードにおいて、複数台の表示装置１０−１〜１０−２、１０−３〜１０−４は、グループ毎に離れて配置されている。
【０１７３】
このように、本発明の第４実施形態に係る表示システムによれば、第１のグループの表示装置１０−１〜１０−２は一列に並んで配置されて、第２のグループの表示装置１０−３〜１０−４は一列に並んで配置されているため、前述の複数画像表示モードの構成に相当する。第１のグループの表示装置１０−１〜１０−２と、第２のグループの表示装置１０−３〜１０−４とは、離れて配置されているため、前述の単一画像表示モードの構成に相当する。したがって、本発明の第４実施形態に係る表示システムによれば、複数画像表示モードと単一画像表示モードとを組み合わせることにより、複数画像表示モードにおける効果と単一画像表示モードにおける効果との両方を実現することができる。
【０１７４】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【０１７５】
１０  …  表示装置
１０−１  …  表示装置（スレーブ表示装置）
１０−２  …  表示装置（スレーブ表示装置）
１０−３  …  表示装置（スレーブ表示装置）
１０−４  …  表示装置（マスター表示装置）
１１  …  入力情報
２０  …  入力検知装置
３０  …  制御装置
３１  …  制御部
３２  …  記憶部
３３  …  画像データ表示制御部
３４  …  入力反映表示制御部
１００  …  外部端末
１１０  …  記憶部
１２０  …  制御部
１３０  …  画像データ表示制御部
１３１  …  複数画像表示制御部
１３２  …  単一画像表示制御部
１３３  …  モード切替表示制御部
１４０  …  ページ操作制御部
１４１  …  複数画像操作制御部
１４２  …  単一画像操作制御部
１５０  …  表示部
１５１  …  モード表示欄
１５１Ａ  …  複数画像表示モード選択ボタン
１５１Ｂ  …  単一画像表示モード選択ボタン
１５１Ｃ  …  グループ画像表示モード選択ボタン
１５２  …  画像表示欄
１５３  …  ページ表示欄
２１１  …  複数画像表示モード指定情報
２１２  …  単一画像表示モード指定情報
２４１  …  指定情報制御部
２４２  …  指定情報制御部
３４１  …  画像切替表示制御部
３４２  …  画像切替表示制御部
１０００  …  部屋（教室）
１００１  …  操作者（先生）
１００２  …  視聴者（生徒）
１０１０  …  机（先生用）
１０２０  …  机（生徒用）
ＮＥ  …  ネットワーク
【図１】
0006464008.tif 000002
【図２】
0006464008.tif 000003
【図３】
0006464008.tif 000004
【図４】
0006464008.tif 000005
【図５】
0006464008.tif 000006
【図６】
0006464008.tif 000007
【図７】
0006464008.tif 000008
【図８】
0006464008.tif 000009
【図９】
0006464008.tif 000010
【図１０】
0006464008.tif 000011
【図１１】
0006464008.tif 000012
【図１２】
0006464008.tif 000013
【図１３】
0006464008.tif 000014
【図１４】
0006464008.tif 000015
【図１５】
0006464008.tif 000016
【図１６】
0006464008.tif 000017
【図１７】
0006464008.tif 000018
【図１８】
0006464008.tif 000019
【図１９】
0006464008.tif 000020
【図２０】
0006464008.tif 000021
【図２１】
0006464008.tif 000022
【図２２】
0006464008.tif 000023
【図２３】
0006464008.tif 000024
【図２４】
0006464008.tif 000025
【図２５】
0006464008.tif 000026
【図２６】
0006464008.tif 000027
【図２７】
0006464008.tif 000028
【図２８】
0006464008.tif 000029
【図２９】
0006464008.tif 000030
【図３０】
0006464008.tif 000031
【図３１】
0006464008.tif 000032
【図３２】
0006464008.tif 000033
【図３３】
0006464008.tif 000034
【図３４】
0006464008.tif 000035
【図３５】
0006464008.tif 000036
【図３６】
0006464008.tif 000037
【図３７】
0006464008.tif 000038
【図３８】
0006464008.tif 000039